(57)【要約】【課題】光利用効率を高めることができる画像処理装置、画像表示システム及び画像処理方法等を提供する。【解決手段】複数の画像形成部により形成される画像を用いて生成されるスタック画像のむらを補正する画像処理装置は、所与の指定調光率に対応して画像形成部毎に決められた調光率に基づいて、各画像形成部の調光を制御する調光制御部と、各画像形成部の調光率に対応したむら補正値を記憶するむら補正値記憶部と、むら補正値記憶部に記憶されるむら補正値を用いて、各画像形成部に対応する画像信号のむら補正処理を行うむら補正処理部とを含む。【選択図】図２
2011150111.tif 000002
【特許請求の範囲】
【請求項１】
複数の画像形成部により形成される画像を用いて生成されるスタック画像のむらを補正
する画像処理装置であって、
所与の指定調光率に対応して画像形成部毎に決められた調光率に基づいて、各画像形成
部の調光を制御する調光制御部と、
各画像形成部の調光率に対応したむら補正値を記憶するむら補正値記憶部と、
前記むら補正値記憶部に記憶される前記むら補正値を用いて、各画像形成部に対応する
画像信号のむら補正処理を行うむら補正処理部とを含むことを特徴とする画像処理装置。
【請求項２】
請求項１において、
前記むら補正値記憶部は、
前記各画像形成部による画像の色特性値及び前記各画像形成部の調光率に対応したむら
補正値を記憶することを特徴とする画像処理装置。
【請求項３】
請求項１又は２において、
前記むら補正値は、
前記スタック画像のむらの補正量を前記各画像の色特性値の比及び前記各画像形成部の
調光率に応じて前記各画像形成部に分配した補正量に対応することを特徴とする画像処理
装置。
【請求項４】
請求項１乃至３のいずれかにおいて、
前記各画像形成部の調光率と前記各画像の色特性値の比とに応じて前記スタック画像の
むら補正目標値を分配することにより、各画像形成部に対応するむら補正目標値を算出す
るむら補正目標値算出部と、
前記むら補正目標値算出部によって算出された前記各画像形成部に対応するむら補正目
標値に基づいて、前記各画像形成部に対応するむら補正値を生成するむら補正値生成部と
を含み、
前記むら補正値記憶部は、
前記むら補正値生成部によって生成された前記むら補正値を記憶することを特徴とする
画像処理装置。
【請求項５】
請求項１乃至４のいずれかにおいて、
前記指定調光率と、前記各画像形成部による画像の色特性値とに基づいて前記各画像形
成部の調光率を算出する光源輝度算出部を含み、
前記調光制御部は、
前記光源輝度算出部によって算出された調光率に基づいて、前記各画像形成部の調光を
制御することを特徴とする画像処理装置。
【請求項６】
請求項１乃至５のいずれかにおいて、
前記各画像形成部の調光率の平均値が前記指定調光率と等しいことを特徴とする画像処
理装置。
【請求項７】
各画像形成部が形成した画像を用いて前記スタック画像を表示する前記複数の画像形成
部と、
前記各画像形成部の調光を制御すると共に、前記各画像形成部に対応して画像信号のむ
ら補正処理を行い、むら補正処理後の画像信号を前記各画像形成部に供給する請求項１乃
至６のいずれか記載の画像処理装置とを含むことを特徴とする画像表示システム。
【請求項８】
複数の画像形成部により形成される画像を用いて生成されるスタック画像のむらを補正
する画像処理方法であって、
所与の指定調光率に対応して画像形成部毎に決められた調光率に基づいて、各画像形成
部の調光を制御する調光制御ステップと、
各画像形成部の調光率に対応したむら補正値を用いて、各画像形成部に対応する画像信
号のむら補正処理を行うむら補正処理ステップとを含むことを特徴とする画像処理方法。
【請求項９】
請求項８において、
前記各画像形成部の調光率の平均値が前記指定調光率と等しいことを特徴とする画像処
理方法。
【発明の詳細な説明】
【技術分野】
【０００１】
本発明は、画像処理装置、画像表示システム及び画像処理方法等に関する。
【背景技術】
【０００２】
画像表示装置の一種であるプロジェクター（画像投射装置）を複数台用いた表示技術（
以下、「スタック表示技術」という）は、高輝度化や画素ずらしによる高解像度化を図る
技術として知られている。例えば、複数台のプロジェクターから投射される画像を、それ
ぞれの画素の位置が一致するように重ねることで、高輝度の画像を表示することができる
。また、複数台のプロジェクターから投射される画像を、それぞれの画素の位置が１画素
未満（例えば、水平方向及び垂直方向に０．５画素）の所定量だけずれるように表示する
ことで、擬似的に高解像度の画像を表示することができる。以下、このスタック表示技術
によって表示される画像を「スタック画像」と称する。このスタック画像にも、各プロジ
ェクターを構成する光源、ライトバルブやレンズ等のデバイス特性に依存したむら（色む
ら、輝度むら）があり、これを改善するむらの補正方法が種々提案されている。
【０００３】
例えば特許文献１には、プロジェクター毎に色むら補正を行うのではなく、光源色（Ｒ
ＧＢ）毎に合計した強度プロファイルを計算して、スタック画像を表示したスタック状態
で均一になるように色むら補正を行う技術が開示されている。この特許文献１に開示され
た技術によれば、プロジェクター毎に色むらが低減されている必要はなく、個々が不均一
であってもスタック画像の色むらが低減されていればよい。また例えば特許文献２には、
プロジェクターの入出力特性に基づいて、色むらの補正データを容易に求める技術が開示
されている。
【０００４】
一方、プロジェクター等の電子機器の省電力化が望まれている。そこで、プロジェクタ
ーは、光源を暗くする調光機能を備え、消費電力の削減を図りながら画像を表示すること
が考えられる。
【先行技術文献】
【特許文献】
【０００５】
【特許文献１】特開２００５−３５２１７１号公報
【特許文献２】特開２００１−２０９３５８号公報
【発明の概要】
【発明が解決しようとする課題】
【０００６】
しかしながら、一般的に、白表示のときのむらの補正は、画面中の最も暗い部分に全体
を合わせることになる。そのため、むらの補正は、白の明るさを低下させる方向に行われ
る。以下、この点について簡単に説明する。
【０００７】
図１９（Ａ）、図１９（Ｂ）に、むら補正についての説明図を示す。図１９（Ａ）は、
説明を簡略化するため、白表示のときの輝度のむらの様子として、画面の水平方向の輝度
変化の一例を表したものである。図１９（Ｂ）は、図１９（Ａ）の輝度変化を模式的に階
段状に表したものである。図１９（Ａ）、図１９（Ｂ）において、横軸に画面の画素位置
、縦軸に輝度（広義には強度）を表す。
【０００８】
図１９（Ａ）に示すような白表示のときの輝度変化は、画像のむらとして視認されてし
まう。この場合、一般的に、図１９（Ａ）、図１９（Ｂ）に示す輝度の最小値Ｙｍｉｎを
むら補正の目標値として、各位置の輝度が最小値Ｙｍｉｎとなるように補正される。この
ため、表示品位の向上のためのむら補正は、白の明るさを低下させる方向に補正が行われ
ることになる。
【０００９】
また、プロジェクターの光源の調光は、低消費電力化が可能となるが、その分、表示画
像の明るさを低下させてしまうという問題がある。
【００１０】
このように、むら補正と光源の調光とは明るさの低下を招く要因となり得る。これらの
技術は互いに独立しており、全体的な明るさの低下は、むら補正の度合いに応じた明るさ
の減光率と、光源の減光率とを単純に掛け合わせたもので表現することができる。例えば
むら補正で明るさが７０％となり、４０％の低消費電力化のために光源を６０％に減光す
る場合、５６％（＝１−０．７×０．６）の光量損失を招くことを意味する。
【００１１】
ここで、２台のプロジェクターＰＪＡ、ＰＪＢにより表示されるスタック画像に対して
むら補正後に調光した場合の明るさについて考える。
【００１２】
図２０（Ａ）〜図２０（Ｆ）に、むら補正後の各プロジェクターの画像をスタックした
後に調光する場合の明るさの様子を示す。図２０（Ａ）〜図２０（Ｆ）は、図１９（Ｂ）
のように画面の水平方向の輝度変化を模式的に階段状に表す。図２０（Ａ）〜図２０（Ｆ
）において、横軸に画面の画素位置、縦軸に輝度（広義には強度）を表す。
【００１３】
プロジェクターＰＪＡが図２０（Ａ）、プロジェクターＰＪＢが図２０（Ｂ）に示すよ
うに、それぞれむらが存在し、プロジェクターＰＪＡの輝度の最小値が６０、プロジェク
ターＰＪＢの輝度の最小値が４０であるものとする。このとき、プロジェクターＰＪＡに
対しては、輝度の最小値６０に合わせてむら補正が行われ、むら補正後は図２０（Ｃ）の
ようになる。同様に、プロジェクターＰＪＢに対しては、輝度の最小値４０に合わせてむ
ら補正が行われ、むら補正後は図２０（Ｄ）のようになる。そして、むら補正後のプロジ
ェクターＰＪＡの画像とプロジェクターＰＪＢの画像とを用いてスタック画像を表示する
と、両プロジェクターの輝度の合算により、図２０（Ｅ）に示すように、輝度が１００の
明るいスタック画像が表示される。この状態で、両プロジェクターの光源を５０％に減光
すると、図２０（Ｆ）に示すように、輝度が５０のスタック画像が表示される。
【００１４】
一方、特許文献１に示すようにスタック画像を表示してからむら補正を行い、調光を行
う場合を考える。
【００１５】
図２１（Ａ）〜図２１（Ｅ）に、スタック画像に対してむら補正を行った後に、調光し
た場合の明るさの様子を示す。図２１（Ａ）〜図２１（Ｅ）は、図１９（Ｂ）のように画
面の水平方向の輝度変化を模式的に階段状に表す。図２１（Ａ）〜図２１（Ｅ）において
、横軸に画面の画素位置、縦軸に輝度を表す。
【００１６】
図２１（Ａ）は、図２０（Ａ）と同様のプロジェクターＰＪＡによる画像の輝度変化を
模式的に表したものである。図２１（Ｂ）は、図２０（Ｂ）と同様のプロジェクターＰＪ
Ｂによる画像の輝度変化を模式的に表したものである。図２１（Ａ）の画像及び図２１（
Ｂ）の画像を用いたスタック画像は、図２１（Ｃ）に示すように、輝度の最小値が１４０
（＝１００＋４０）のむらが存在する。このとき、スタック画像に対しては、輝度の最小
値１４０に合わせてむら補正が行われ、むら補正後は図２１（Ｄ）のようになる。この状
態で、両プロジェクターの光源を５０％に減光すると、図２１（Ｅ）に示すように、輝度
が７０のスタック画像が表示される。
【００１７】
図２０（Ｆ）の画像と図２１（Ｅ）の画像とを比較すると、図２１（Ｅ）の画像の方が
明るい画像となる。しかしながら、図２１（Ｅ）の画像は、図２１（Ｄ）の画像を単に減
光したものであり、より効率的に調光できることが望ましい。
【００１８】
また、特許文献２には、むら補正のデータを生成する技術について開示されているに過
ぎない。そのため、特許文献１及び特許文献２に開示された技術では、同じ消費電力でで
きるだけ明るく画像を表示したり、或いは同じ明るさの画像をできるだけ低消費電力で表
示したりする光利用効率を高めることができない。
【００１９】
本発明は、以上のような技術的課題に鑑みてなされたものである。本発明の幾つかの態
様によれば、光利用効率を高めることができる画像処理装置、画像表示システム及び画像
処理方法等を提供することができる。
【課題を解決するための手段】
【００２０】
（１）本発明の一態様は、複数の画像形成部により形成される画像を用いて生成される
スタック画像のむらを補正する画像処理装置が、所与の指定調光率に対応して画像形成部
毎に決められた調光率に基づいて、各画像形成部の調光を制御する調光制御部と、各画像
形成部の調光率に対応したむら補正値を記憶するむら補正値記憶部と、前記むら補正値記
憶部に記憶される前記むら補正値を用いて、各画像形成部に対応する画像信号のむら補正
処理を行うむら補正処理部とを含む。
【００２１】
本態様においては、指定調光率に対応して画像形成部毎に決められた調光率に基づいて
、各画像形成部の調光を制御すると共に、各画像形成部の調光率に対応したむら補正値を
用いて各画像形成部に対応する画像信号のむら補正処理を行う。これにより、むら補正処
理と連動して、互いに異なる調光率で各画像形成部の光源の輝度を制御できるようになり
、光源の輝度を無駄に低減させることなく、光利用効率を高めることができるようになる
。
【００２２】
（２）本発明の他の態様に係る画像処理装置では、前記むら補正値記憶部は、前記各画
像形成部による画像の色特性値及び前記各画像形成部の調光率に対応したむら補正値を記
憶する。
【００２３】
本態様によれば、各画像形成部による画像の色特性値及び各画像形成部の調光率に対応
したむら補正値を用いてむら補正処理を行うようにしたので、上記の効果に加えて、１つ
の画像形成部に対するむら補正量が大きくなりすぎて、むら補正が正しく行うことができ
ないという事態を回避できるようになる。
【００２４】
（３）本発明の他の態様に係る画像処理装置では、前記むら補正値は、前記スタック画
像のむらの補正量を前記各画像の色特性値の比及び前記各画像形成部の調光率に応じて前
記各画像形成部に分配した補正量に対応する。
【００２５】
本態様によれば、スタック画像の均一な表示を行いながら消費電力を削減する場合に、
正しくむら補正を行うための各画像形成部のむら補正値を簡素に求めることができるよう
になる。
【００２６】
（４）本発明の他の態様に係る画像処理装置では、前記各画像形成部の調光率と前記各
画像の色特性値の比とに応じて前記スタック画像のむら補正目標値を分配することにより
、各画像形成部に対応するむら補正目標値を算出するむら補正目標値算出部と、前記むら
補正目標値算出部によって算出された前記各画像形成部に対応するむら補正目標値に基づ
いて、前記各画像形成部に対応するむら補正値を生成するむら補正値生成部とを含み、前
記むら補正値記憶部は、前記むら補正値生成部によって生成された前記むら補正値を記憶
する。
【００２７】
本態様によれば、上記のようにスタック画像のむら補正目標値を分配することにより、
各画像形成部に対応するむら補正目標値を算出してから、該むら補正目標値を用いて各画
像形成部に対応するむら補正値を生成するようにしたので、上記の効果に加えて、各画像
形成部に対するむら補正量のバランスをとって正しくむら補正を行うことを可能とするむ
ら補正値を容易に生成できるようになる。
【００２８】
（５）本発明の他の態様に係る画像処理装置では、前記指定調光率と、前記各画像形成
部による画像の色特性値とに基づいて前記各画像形成部の調光率を算出する光源輝度算出
部を含み、前記調光制御部は、前記光源輝度算出部によって算出された調光率に基づいて
、前記各画像形成部の調光を制御する。
【００２９】
本態様によれば、指定調光率と各画像形成部による画像の色特性値とに基づいて各画像
形成部の調光率を算出するようにしたので、各画像形成部に対するむら補正量のバランス
をとって正しくむら補正を行うことを可能とする調光率を生成できるようになる。
【００３０】
（６）本発明の他の態様に係る画像処理装置では、前記各画像形成部の調光率の平均値
が前記指定調光率と等しい。
【００３１】
本態様によれば、上記の効果を得るための調光率を求める処理の負荷を軽減し、該調光
率を簡単に求めることができるようになる。
【００３２】
（７）本発明の他の態様は、画像表示ステムが、各画像形成部が形成した画像を用いて
前記スタック画像を表示する前記複数の画像形成部と、前記各画像形成部の調光を制御す
ると共に、前記各画像形成部に対応して画像信号のむら補正処理を行い、むら補正処理後
の画像信号を前記各画像形成部に供給する上記のいずれか記載の画像処理装置とを含む。
【００３３】
本態様によれば、スタック画像の均一な画像を表示し、且つ、光利用効率を高めること
ができる画像処理装置が適用された画像表示システムを提供できるようになる。
【００３４】
（８）本発明の他の態様は、複数の画像形成部により形成される画像を用いて生成され
るスタック画像のむらを補正する画像処理方法が、所与の指定調光率に対応して画像形成
部毎に決められた調光率に基づいて、各画像形成部の調光を制御する調光制御ステップと
、各画像形成部の調光率に対応したむら補正値を用いて、各画像形成部に対応する画像信
号のむら補正処理を行うむら補正処理ステップとを含む。
【００３５】
本態様においては、指定調光率に対応して画像形成部毎に決められた調光率に基づいて
、各画像形成部の調光を制御すると共に、各画像形成部の調光率に対応したむら補正値を
用いて各画像形成部に対応する画像信号のむら補正処理を行う。これにより、むら補正処
理と連動して、互いに異なる調光率で各画像形成部の光源の輝度を制御できるようになり
、光源の輝度を無駄に低減させることなく、光利用効率を高めることができる画像処理方
法を提供できるようになる。
【００３６】
（９）本発明の他の態様に係る画像処理方法では、前記各画像形成部の調光率の平均値
が前記指定調光率と等しい。
【００３７】
本態様によれば、上記の効果を得るための調光率を求める処理の負荷を軽減し、該調光
率を簡単に求めることができるようになる。
【図面の簡単な説明】
【００３８】
【図１】本発明の一実施形態に係る画像表示システムの構成例のブロック図。
【図２】図１の画像処理装置の構成例のブロック図。
【図３】調光率記憶部の説明図。
【図４】図２の画像処理装置の処理例のフロー図。
【図５】図１の画像処理装置の他の構成例のブロック図。
【図６】図５の画像処理装置の処理例のフロー図。
【図７】図６のステップＳ１のむら測定処理の処理例のフロー図。
【図８】図８（Ａ）〜図８（Ｅ）は、実施形態１の比較例におけるむら補正及び調光制御の輝度変化の一例を示す図。
【図９】光源輝度算出部の処理例のフロー図。
【図１０】図１０（Ａ）〜図１０（Ｆ）は、実施形態１におけるむら補正及び調光制御の輝度変化の一例を示す図。
【図１１】図６のステップＳ４のむら補正目標値算出処理例のフロー図。
【図１２】むら補正目標値算出部の動作説明図
【図１３】図１３（Ａ）〜図１３（Ｃ）は、むら補正前とむら補正後の画素位置（ｉ，ｊ）における第１の画像表示装置による画像の三刺激値の一例を示す図。
【図１４】図１４（Ａ）〜図１４（Ｃ）は、変換後の画素位置（ｉ，ｊ）におけるむら補正前後のＲＧＢ値の一例を示す図。
【図１５】図１５（Ａ）〜図１５（Ｇ）は、実施形態１においてむら補正後、調光後、及びスタック後の画像の輝度変化の一例を示す図。
【図１６】実施形態１の効果の説明図。
【図１７】実施形態２における画像表示システムの構成例のブロック図。
【図１８】図１７の第１の画像形成部の構成例を示す。
【図１９】図１９（Ａ）、図１９（Ｂ）は、むら補正についての説明図。
【図２０】図２０（Ａ）〜図２０（Ｆ）は、むら補正後のスタック画像を調光する場合の明るさの様子を示す図。
【図２１】図２１（Ａ）〜図２１（Ｅ）は、スタック画像に対してむら補正を行った後に調光した場合の明るさの様子を示す図。
【発明を実施するための形態】
【００３９】
以下、本発明の実施の形態について図面を用いて詳細に説明する。なお、以下に説明す
る実施の形態は、特許請求の範囲に記載された本発明の内容を不当に限定するものではな
い。また以下で説明される構成のすべてが本発明の課題を解決するために必須の構成要件
であるとは限らない。
【００４０】
以下で説明する実施形態では、２台の画像表示装置を用いて表示したスタック画像に対
してむら補正し、各画像表示装置の光源を調光する例について説明するが、３台以上の画
像表示装置を用いてスタック画像を表示する場合にも適用できる。
【００４１】
１．  実施形態１
図１に、本発明の一実施形態に係る画像表示システムの構成例のブロック図を示す。
【００４２】
画像表示システム１０は、複数の画像表示装置による複数の投射画像を重ね合わせるこ
とにより生成されるスタック画像をスクリーンＳＣＲに表示する。この画像表示システム
１０は、第１の画像表示装置（狭義にはプロジェクター）ＰＪ１と、第２の画像表示装置
ＰＪ２と、画像処理装置１００と、画像信号供給装置２００と、操作部２１０とを含む。
また、むら補正及び調光の最適化を図るために、画像表示システム１０は、更に、むら測
定装置３００と、センサー４００とを含むことができる。操作部２１０は、画像処理装置
１００、第１の画像表示装置ＰＪ１又は第２の画像表示装置ＰＪ２に含まれていてもよい
。
【００４３】
第１の画像表示装置ＰＪ１は、第１の画像形成部（図示せず）を含み、画像処理装置１
００からの画像信号に基づいて第１の画像形成部により形成した画像をスクリーンＳＣＲ
に投射する。より具体的には、第１の画像表示装置ＰＪ１は、光源と、透過型の液晶パネ
ルを用いて構成されるライトバルブと、投射レンズとを含み、画像処理装置１００からの
画像信号に基づいて、光源からの光をライトバルブにより色成分毎に変調し、変調後の光
を投射レンズでスクリーンＳＣＲに投射する。第１の画像表示装置ＰＪ１は、画像処理装
置１００からの光源制御信号に基づいて輝度が調整されるように構成される。同様に、第
２の画像表示装置ＰＪ２は、第２の画像形成部（図示せず）を含み、画像処理装置１００
からの画像信号に基づいて第２の画像形成部により形成した画像をスクリーンＳＣＲに投
射する。第２の画像表示装置ＰＪ２は、画像処理装置１００からの光源制御信号に基づい
て輝度が調整されるように構成される。このとき、第２の画像表示装置ＰＪ２により投射
される画像が、スクリーンＳＣＲにおいて、第１の画像表示装置ＰＪ２により投射された
画像と重なるように、各画像表示装置が設置される。第２の画像表示装置ＰＪ２の構成は
、第１の画像表示装置ＰＪ１の構成と同様である。
【００４４】
画像処理装置１００は、画像信号供給装置２００から供給される入力画像信号に対して
各画像表示装置に対応するむら補正処理を行い、むら補正処理後の画像信号を各画像表示
装置に出力する。また、画像処理装置１００は、むら補正量に対応した調光率で、第１の
画像表示装置ＰＪ１及び第２の画像表示装置ＰＪ２の少なくとも１つの調光を制御するこ
とができる。
【００４５】
画像信号供給装置２００は、ＤＶＤ（Digital Versatile Disc）装置やパーソナルコン
ピュータ（Personal Computer：ＰＣ）等によって構成され、画像信号を画像処理装置１
００に供給する。また、画像信号供給装置２００は、後述するむら測定時においてＲＧＢ
の各色成分の階調値が等しいグレイ、又はＲＧＢの１つの色成分の階調値のみを有する（
他の色成分の階調値が０）ＲＧＢカラーのべた画像に対応した画像信号を画像処理装置１
００に供給することができる。
【００４６】
操作部２１０は、第１の画像表示装置ＰＪ１及び第２の画像表示装置ＰＪ２の光源輝度
を指定するための操作パネルである。ユーザーは、操作部２１０を介して調光率（例えば
５０％）を指定したり、予め決められた調光率の中から１つを指定したりできるようにな
っている。この操作部２１０を介したユーザーによる操作情報は、指定した調光率に対応
しており、画像処理装置１００に入力される。
【００４７】
むら測定装置３００は、ＣＣＤ（Charge Coupled Device）センサー等の２次元イメー
ジセンサーであり、スクリーンＳＣＲに投射された画像を測定できるように設置されてい
る。むら測定装置３００は、むら測定時において各画像表示装置によってスクリーンＳＣ
Ｒに表示されるグレイ画像及びＲＧＢの０％〜１００％の中間調を含むべた画像を撮影す
る。そして、むら測定装置３００は、色特性値としてＣＩＥ  １９３１表色系のＸＹＺ三
刺激値又はＲＧＢの面内分布（強度分布）情報を取得する。このようなむら測定装置３０
０としては、ｘｙｚ等色関数近似の分光感度を持つフィルターを用いて撮影し、マトリク
ス補正演算によりＸＹＺ三刺激値を得るもの（例えば、Ｒａｄｉａｎｔ  Ｉｍａｇｉｎｇ
社のＰｒｏＭｅｔｒｉｃ等）や、等色関数とは異なるＲＧＢフィルターを用いて撮影し、
ＲＧＢ画像を得るものがある。こうして画像表示装置毎にむら測定装置３００によって取
得された面内分布情報は、むら測定値である色特性値（輝度・色度の強度分布）として、
画像処理装置１００に送られる。なお、むら測定装置３００による測定処理は、画像処理
装置１００による制御によって行われてもよい。
【００４８】
センサー４００は、視環境の明るさや温度等を検出し、検出結果に対応したセンサー情
報が画像処理装置１００に入力される。画像処理装置１００は、操作部２１０からの操作
情報又はセンサー４００からのセンサー情報を用いて、指定調光率を得ることになる。
【００４９】
画像処理装置１００は、指定調光率に対応した各画像表示装置の調光率と、むら測定装
置３００によって取得された各画像表示装置による画像の面内強度分布（色特性値、むら
測定値）とに基づいて、各画像処理装置のむら補正目標値を求め、該むら補正目標値に対
応したむら補正値を画像表示装置毎に求める。ここで、色特性値として、三刺激値の他に
、例えば心理物理量、光強度、画像測定値、測色値等の画像を測定することにより得られ
る物理量を採用してもよい。
【００５０】
そして、画像処理装置１００は、画像表示装置毎に分配された補正量に対応したむら補
正値を用いて、画像信号供給装置２００からの入力画像信号に対して画像表示装置毎にむ
ら補正処理を行い、むら補正処理後の画像信号を各画像表示装置に供給する。このとき、
画像処理装置１００は、操作情報により指定された指定調光率に対応した各画像表示装置
の調光率で、第１の画像表示装置ＰＪ１及び第２の画像表示装置ＰＪ２の調光制御を強制
的に行う。或いは、画像処理装置１００は、センサー４００からのセンサー情報に基づい
て決定される指定調光率に対応した各画像表示装置の調光率で、第１の画像表示装置ＰＪ
１及び第２の画像表示装置ＰＪ２の調光制御を行う。これにより、均一な画像を表示し、
且つ、光利用効率を高めることができる画像処理装置を提供できるようになる。
【００５１】
このような画像処理装置１００は、図示しない中央演算処理装置（Central Processing
Unit：以下、ＣＰＵ）及びメモリーを有し、該メモリーに格納されたプログラムを読み
込んだＣＰＵが該プログラムに対応した処理を実行することで、上記のむら補正処理及び
調光制御を実現することができる。或いは、画像処理装置１００の機能は、ＡＳＩＣ（Ap
plication Specific Integrated Circuit）等のロジック回路により実現されてもよい。
【００５２】
なお、図１において、画像表示システム１０は、これらの少なくとも１つが省略された
構成を有していてもよい。また、図１において、画像処理装置１００の機能が、第１の画
像表示装置ＰＪ１及び第２の画像表示装置ＰＪ２の一方に内蔵されていてもよい。
【００５３】
〔画像処理装置〕
図２に、図１の画像処理装置１００の構成例のブロック図を示す。図２は、画像処理装
置１００の他に、画像信号供給装置２００、第１の画像表示装置ＰＪ１及び第２の画像表
示装置ＰＪ２を合わせて示す。なお、図２において、図１と同一部分には同一符号を付し
、適宜説明を省略する。
【００５４】
画像処理装置１００は、むら補正ルックアップテーブル（Look-Up Table：以下、ＬＵ
Ｔ）記憶部（広義には、むら補正値記憶部）１１０と、むら補正処理部１２０と、調光率
記憶部１３０と、調光制御部１４０とを含む。
【００５５】
調光率記憶部１３０は、操作部２１０からの操作情報又はセンサー４００からのセンサ
ー情報に基づく指定調光率に対応して、画像表示装置（より具体的には画像表示装置が含
む画像形成部）毎に決められた調光率を記憶する。
【００５６】
図３に、調光率記憶部１３０の説明図を示す。
【００５７】
調光率記憶部１３０には、少なくともむら補正処理部１２０によるむら補正処理に先立
って、図３に示すような指定調光率γに対応した画像表示装置毎の調光率α、βが格納さ
れる。例えば、操作部２１０からの操作情報又はセンサー４００からのセンサー情報によ
り、指定調光率としてγ２が指定されたとき、調光率記憶部１３０は、指定調光率γ２に
対応して記憶される第１の画像表示装置ＰＪ１の調光率α１と第２の画像表示装置ＰＪ２
の調光率β２とが参照されるように構成される。
【００５８】
調光制御部１４０は、調光率記憶部１３０に記憶された指定調光率に対応した各画像表
示装置の調光率で、各画像表示装置の調光を制御する。そのため調光制御部１４０は、各
画像表示装置の光源の輝度を制御するための光源制御信号を画像表示装置毎に出力する。
【００５９】
むら補正ＬＵＴ記憶部１１０には、各画像表示装置の調光率又は指定調光率に対応した
むら補正値がテーブル化されたむら補正ＬＵＴが画像表示装置毎に記憶される。むら補正
ＬＵＴ記憶部１１０に記憶されるむら補正値は、第１の画像表示装置ＰＪ１及び第２の画
像表示装置ＰＪ２により生成されるスタック画像のむらの補正量を、該スタック画像を構
成する各画像の色特定値（むら測定値）の比に応じて各画像表示装置に分配した補正量に
対応している。従って、むら補正ＬＵＴ記憶部１１０は、各画像表示装置による画像の色
特性値及び各画像表示装置の調光率（又は指定調光率）に対応したむら補正値を記憶する
ことになる。
【００６０】
むら補正処理部１２０は、むら補正ＬＵＴ記憶部１１０に記憶される各画像表示装置に
対応するむら補正値を用いて、各画像表示装置に対応する画像信号のむら補正処理を行う
。むら補正ＬＵＴは、例えば画像内の画素位置（ｉ，ｊ）における階調値Ｋｉｊ（例えば
グレイ階調値）の補正量（ΔＫＲｉｊ，ΔＫＧｉｊ，ΔＫＢｉｊ）に対応した補正値を、
画素位置毎に、且つ、階調値毎に用意したものである。このとき、入力画像信号の画素位
置（ｉ，ｊ）における画素値（Ｒｉｊ，Ｇｉｊ，Ｂｉｊ）に対するむら補正処理部１２０
による補正後の画像信号の画素値（Ｒｉｊ´，Ｇｉｊ´，Ｂｉｊ´）は、次のようになる
。
Ｒｉｊ´＝Ｒｉｊ＋ΔＫＲｉｊ      ・・・（１）
Ｇｉｊ´＝Ｇｉｊ＋ΔＫＧｉｊ      ・・・（２）
Ｂｉｊ´＝Ｂｉｊ＋ΔＫＢｉｊ      ・・・（３）
【００６１】
このように、むら補正処理部１２０は、画像信号供給装置２００からの入力画像信号に
基づいて、画像の面内位置及び階調に応じてむら補正ＬＵＴを参照し、各画像表示装置に
対応するむら補正処理を行う。このとき、むら補正処理部１２０は、補正ＬＵＴの格子点
間を、公知の線形補間等により補間してむら補正処理を行う。
【００６２】
むら補正処理部１２０による第１の画像表示装置ＰＪ１に対応したむら補正処理後の画
像信号は、第１の画像表示装置ＰＪ１（より具体的には、第１の画像形成部）に出力され
る。むら補正処理部１２０による第２の画像表示装置ＰＪ２に対応したむら補正処理後の
画像信号は、第２の画像表示装置ＰＪ２（より具体的には、第２の画像形成部）に出力さ
れる。
【００６３】
図４に、図２の画像処理装置１００の処理例のフロー図を示す。画像処理装置１００が
図４の処理をソフトウェア処理で実現する場合には、画像処理装置１００が内蔵するメモ
リーに下記の処理を実現するプログラムが格納され、該プログラムを読み込んだＣＰＵが
該プログラムに対応した処理を実行する。
【００６４】
まず、画像処理装置１００は、操作部２１０からの操作情報又はセンサー４００からの
センサー情報を受け付けることによって、指定調光率を受け付ける（ステップＳ１００）
。なお、画像処理装置１００が、操作部２１０からの操作情報又はセンサー４００からの
センサー情報に基づいて指定調光率を決定する処理を行ってもよい。
【００６５】
次に、画像処理装置１００は、調光制御部１４０が調光率記憶部１３０を参照して、ス
テップＳ１００において受け付けられた指定調光率に対応した各画像表示装置の調光率で
、各画像表示装置の調光を制御する（ステップＳ１０２）。更に、画像処理装置１００は
、ステップＳ１０２の各画像表示装置の調光率に対応したむら補正値を用いて、入力画像
信号に対して画像表示装置毎にむら補正処理を行う（ステップＳ１０４）。このとき、む
ら補正処理部１２０が、むら補正ＬＵＴ記憶部１１０を参照して読み出したむら補正値を
用いる。なお、ステップＳ１０２とステップＳ１０４の順序を入れ替えて処理してもよい
。そして、画像処理装置１００は、ステップＳ１０４において行われたむら補正処理後の
画像信号を各画像表示装置に供給し（ステップＳ１０６）、一連の処理を終了する（エン
ド）。
【００６６】
これにより、スタック画像の均一な画像表示を実現するむら補正処理と連動することに
より、指定調光率とは異なる調光率で、画像表示装置毎に光源の輝度を調整することがで
きるようになる。その結果、光源の輝度を無駄に低減させることなく、光利用効率を高め
ることができるようになる。
【００６７】
なお、むら補正ＬＵＴ記憶部１１０に記憶されるむら補正値や、調光率記憶部１３０に
記憶される調光率は、画像処理装置１００において生成されてもよい。
【００６８】
図５に、図１の画像処理装置の他の構成例のブロック図を示す。図５は、画像処理装置
の他に、画像信号供給装置２００、操作部２１０、むら測定装置３００、センサー４００
、第１の画像表示装置ＰＪ１及び第２の画像表示装置ＰＪ２を合わせて示す。なお、図５
において、図１又は図２と同一部分には同一符号を付し、適宜説明を省略する。この場合
、図１において、画像処理装置１００に代えて図５の画像処理装置１００ａが適用される
。
【００６９】
画像処理装置１００ａは、むら補正ＬＵＴ記憶部１１０、むら補正処理部１２０、調光
率記憶部１３０及び調光制御部１４０の他に、むら補正値算出部１５０と、調光率算出部
１６０とを含む。むら補正値算出部１５０は、むら補正値を生成し、最終的にむら補正値
をテーブル化したむら補正ＬＵＴを生成する。調光率算出部１６０は、指定調光率から各
画像表示装置に対応した調光率を算出する。むら補正値算出部１５０は、むら補正目標値
算出部１５２と、むら補正ＬＵＴ生成部（むら補正値生成部）１５４とを含む。調光率算
出部１６０は、指定調光率生成部１６２と、光源輝度算出部１６４とを含む。
【００７０】
むら補正目標値算出部１５２は、むら補正目標値を算出する。むら補正目標値は、各画
像形成部の調光率（又は指定調光率）と各画像表示装置による画像の色特性値とに基づい
て、画像表示装置毎に生成される。各画像の色特性値は、むら測定装置３００から各画像
表示装置による画像の強度分布（輝度分布）として取得される。むら補正むら補正ＬＵＴ
生成部１５４は、むら補正目標値算出部１５２によって算出された各画像表示装置に対応
するむら補正目標値に基づいて、各画像表示装置に対応するむら補正値を生成する。むら
補正ＬＵＴ生成部１５４によって生成されたむら補正値がテーブル化され、むら補正ＬＵ
Ｔ記憶部１１０において画像表示装置毎に記憶される。
【００７１】
指定調光率生成部１６２は、操作部２１０からの操作情報又はセンサー４００からのセ
ンサー情報から目標光源輝度に対応する指定調光率γを生成する。光源輝度算出部１６４
は、指定調光率生成部１６２によって生成された指定調光率と、むら測定装置３００から
入力される各画像表示装置のむら測定値である強度分布（輝度分布）とに基づいて、各画
像表示装置の目標輝度を調光率α、βとして算出する。光源輝度算出部１６４によって算
出された各画像表示装置の調光率α、βは、指定調光率γと関連づけて調光率記憶部１３
０に保存される。
【００７２】
〔処理例〕
以下では、図５に示す画像処理装置１００ａの処理例を具体的に説明する。
【００７３】
図６に、画像処理装置１００ａの処理例のフロー図を示す。
図７に、図６のステップＳ１のむら測定処理の処理例のフロー図を示す。
画像処理装置１００ａが図６又は図７の処理をソフトウェア処理で実現する場合には、
画像処理装置１００ａが内蔵するメモリーに下記の処理を実現するプログラムが格納され
、該プログラムを読み込んだＣＰＵが該プログラムに対応した処理を実行する。
【００７４】
画像処理装置１００ａは、むら測定装置３００を制御し、むら測定装置３００の測定結
果である面内強度分布をむら測定値として画像表示装置毎に取得する（ステップＳ１）。
ステップＳ１では、まず、画像表示装置毎に、グレイ及びＲＧＢカラーの各階調の全画面
のべた画像の１つをスクリーンＳＣＲに投射させる（ステップＳ１１）。この状態で、画
像処理装置１００ａは、むら測定装置３００により面内強度分布を測定する制御を行い、
むら測定値として取得する（ステップＳ１２）。その後、全測定が終了していないとき（
ステップＳ１３：Ｎ）、画像処理装置１００ａは、ステップＳ１１に戻って、次のべた画
像をスクリーンＳＣＲに投射させる。こうして、グレイ及びＲＧＢカラーの各階調の全画
面のべた画像の各々についてむら測定値が取得される（ステップＳ１３：Ｙ）と、画像処
理装置１００ａは、ステップＳ１の処理を終了する。
【００７５】
続いて、画像処理装置１００ａは、指定調光率生成部１６２において、操作部２１０か
らの操作情報又はセンサー４００からのセンサー情報から目標光源輝度を求め、該目標光
源輝度に対応する指定調光率γを設定する（ステップＳ２）。そして、画像処理装置１０
０ａは、光源輝度算出部１６４において、白の輝度分布と目標光源輝度（＝指定調光率γ
）とから画像表示装置毎の光源輝度を算出し、該光源輝度に対応した調光率α、βを求め
る（ステップＳ３）。
【００７６】
続いて、画像処理装置１００ａは、むら補正目標値算出部１５２において、画像表示装
置毎の光源輝度と、ステップＳ１で取得された画像表示装置毎の各階調のむら測定値から
スタック状態でのむら補正目標値を階調毎に算出した後、画像表示装置毎にむら補正目標
値を算出する（ステップＳ４）。そして、画像処理装置１００ａは、むら補正ＬＵＴ生成
部１５４において、画像表示装置毎のむら測定値及びむら補正目標値に基づいて、画像表
示装置毎にむら補正ＬＵＴを生成する（ステップＳ５）。ここでは、むら補正目標値を出
力するための入力ＲＧＢ値を、各画像表示装置のＶＴ特性を探索して求める。
【００７７】
これ以降、画像処理装置１００ａは、ステップＳ３で算出された調光率で各画像表示装
置の調光制御を行うと共に、ステップＳ５で生成されたむら補正ＬＵＴを参照してむら補
正処理を行う。
【００７８】
次に、図６のステップＳ３の光源輝度算出処理、ステップＳ４のむら補正目標値算出処
理、ステップＳ５のむら補正ＬＵＴ生成処理について具体的に説明する。
【００７９】
〔光源輝度算出処理〕
実施形態１の比較例として、まず、特許文献１に開示されたむら補正に調光制御を組み
合わせた場合の輝度は、次式のようになる。下式では、画素位置を２次元座標（ｘ，ｙ）
、第１の画像表示装置ＰＪ１の白の輝度分布をＹ１（ｘ，ｙ）、第２の画像表示装置ＰＪ
２の白の輝度分布をＹ２（ｘ，ｙ）、指定調光率をγ（０≦γ≦１）として、むら補正及
び調光制御後の輝度Ｙｃを用いて表している。
Ｙｃ＝γ×ｍｉｎ（Ｙ１（ｘ，ｙ）＋Ｙ２（ｘ，ｙ））      ・・・（４）
【００８０】
図８（Ａ）〜図８（Ｅ）に、実施形態１の比較例におけるむら補正及び調光制御の輝度
変化の一例を示す。図８（Ａ）〜図８（Ｅ）は、画面の水平方向の輝度変化を模式的に階
段状に表す。図８（Ａ）〜図８（Ｅ）において、横軸に画面の画素位置、縦軸に輝度（広
義には強度）を表す。
【００８１】
図８（Ａ）は、第１の画像表示装置ＰＪ１による画像の輝度変化、図８（Ｂ）は、第２
の画像表示装置ＰＪ２による画像の輝度変化、図８（Ｃ）は図８（Ａ）及び図８（Ｂ）の
画像をスタックさせたスタック画像の輝度変化を表す。図８（Ｄ）は、図８（Ｃ）のスタ
ック画像を調光率５０％で減光させた画像の輝度変化、図８（Ｅ）は、図８（Ｄ）の画像
に対してむら補正を行った場合の輝度変化を表す。このように、図８（Ｃ）では、画素位
置毎に図８（Ａ）と図８（Ｂ）の輝度が合算された画像となり、図８（Ｄ）では、図８（
Ｃ）の輝度の半分の輝度の画像となる。図８（Ｄ）の画像に対してむら補正を行うと、図
８（Ｃ）の輝度の最小値である６０に合わせてむら補正が行われ、図８（Ｅ）のようにな
る。
【００８２】
これに対して、実施形態１では、むら補正と連動させて調光率を決定することで、各画
像表示装置の調光率を異ならせることができる。そのため、第１の画像表示装置ＰＪ１の
調光率をα（０≦α≦１）、第２の画像表示装置ＰＪ２の調光率をβ（０≦β≦１）とす
ると、光源輝度算出部１６４は、むら補正及び調光後の強度Ｙｐを次式に従って求める。
Ｙｐ＝ｍｉｎ（α×Ｙ１（ｘ，ｙ）＋β×Ｙ２（ｘ，ｙ））      ・・・（５）
【００８３】
但し、式（５）において、γ＝（α＋β）／２とする。即ち、指定調光率γが、第１の
画像表示装置ＰＪ１の調光率αと第２の画像表示装置ＰＪ２の調光率βの平均値と等しく
なるように、調光率α、βが求められる。光源輝度算出部１６４は、この調光率α、βを
次のような処理で求める。
【００８４】
図９に、光源輝度算出部１６４の処理例のフロー図を示す。光源輝度算出部１６４を含
む画像処理装置１００ａが図９の処理をソフトウェア処理で実現する場合には、画像処理
装置１００ａが内蔵するメモリーに下記の処理を実現するプログラムが格納され、該プロ
グラムを読み込んだＣＰＵが該プログラムに対応した処理を実行する。図９の処理は、図
６のステップＳ３において行われる。
【００８５】
まず、光源輝度算出部１６４は、調光率α、βの探索に先立って、光源輝度に対応する
調光率α、βと調光後の輝度の初期設定を行う（ステップＳ３１）。光源輝度の初期設定
として、α＝β＝γを初期値として設定してもよいが、ここでは、例えばα＝０、β＝２
γとして設定することで、αを増やす方向、βを減らす方向に変化させて探索処理の簡素
化を図る。また、調光後の輝度Ｙｐの初期設定として０を設定する。
【００８６】
次に、光源輝度算出部１６４は、調光率α、βを用いて、面内の最小値ｍｉｎ（α×Ｙ
１（ｘ，ｙ）＋β×Ｙ２（ｘ，ｙ））を求め、変数Ｙｑに設定する（ステップＳ３２）。
続いて、光源輝度算出部１６４は、ＹｐとステップＳ３２で求めたＹｑとを比較し（ステ
ップＳ３３）、ＹｑがＹｐより大きいとき（ステップＳ３３：Ｙ）、最適光源輝度として
、Ｙｑに対応する調光率α、βを更新すると共に、調光後の輝度ＹｐにＹｑを代入する（
ステップＳ３４）。
【００８７】
光源輝度の全組み合わせが終了していないとき（ステップＳ３５：Ｎ）、調光率α、β
を更新し（ステップＳ３６）、ステップＳ３２に戻る。ステップＳ３６では、調光率の変
化のステップに限定されるものではなく、処理時間等を考慮して定めることが望ましい。
例えば、指定調光率γ＝０．５であるものとし、（α，β）＝（０，１）のとき、ステッ
プＳ３６では、（α，β）＝（０．０５，０．９５）、（α，β）＝（０．１０，０．９
０）、・・・、（α，β）＝（０．９５，０．０５）、（α，β）＝（１，０）と変化さ
せる。
【００８８】
ステップＳ３５において、光源輝度の全組み合わせが終了したとき（ステップＳ３５：
Ｙ）、一連の処理を終了し（エンド）、その時点における調光率α、βを各画像表示装置
の光源輝度として決定する。
【００８９】
第１の画像表示装置ＰＪ１の輝度変化が図８（Ａ）、第２の画像表示装置ＰＪ２の輝度
変化が図８（Ｂ）に示す場合には、実施形態１では、調光率α＝０．７５、β＝０．２５
が求められる。
【００９０】
図１０（Ａ）〜図１０（Ｆ）に、実施形態１におけるむら補正及び調光制御の輝度変化
の一例を示す。図１０（Ａ）〜図１０（Ｆ）は、画面の水平方向の輝度変化を模式的に階
段状に表す。図１０（Ａ）〜図１０（Ｆ）において、横軸に画面の画素位置、縦軸に輝度
を表す。
【００９１】
図１０（Ａ）は、図８（Ａ）に示す第１の画像表示装置ＰＪ１による画像の輝度変化、
図１０（Ｂ）は、図８（Ｂ）に示す第２の画像表示装置ＰＪ２による画像の輝度変化を表
す。図１０（Ｃ）は、図８（Ａ）の画像を、調光率α＝０．７５で調光後の画像の輝度変
化を表す。図１０（Ｄ）は、図８（Ｂ）の画像を、調光率β＝０．２５で調光後の画像の
輝度変化を表す。図１０（Ｅ）は、図１０（Ｃ）及び図１０（Ｄ）の画像をスタックさせ
たスタック画像の輝度変化を表す。図１０（Ｆ）は、図１０（Ｅ）の画像に対してむら補
正を行った場合の輝度変化を表す。
【００９２】
図１０（Ｃ）では、画素位置毎に、図１０（Ａ）の輝度が７５％に減光され、図１０（
Ｄ）では、画素位置毎に、図１０（Ｂ）の輝度が２５％に減光される。そして、図１０（
Ｅ）では、画素位置毎に図１０（Ｃ）と図１０（Ｄ）の輝度が合算された画像となる。図
１０（Ｅ）の画像に対してむら補正を行うと、図１０（Ｅ）の輝度の最小値である７０に
合わせてむら補正が行われ、図１０（Ｆ）のようになる。図８（Ｃ）のスタック画像と図
１０（Ｅ）のスタック画像とを比較すると、実施形態１においては、スタック画像の輝度
変化が全体的に平坦化されており、むら補正及び調光後の輝度の最小値を大きくすること
ができるので、光利用効率が向上していることがわかる。
【００９３】
〔むら補正目標値算出処理〕
むら補正目標値算出部１５２は、光源輝度算出部１６４によって算出された各画像表示
装置の光源輝度に対応した調光率と、むら測定装置３００から得られた面内強度分布とに
基づいて、各階調でのむら補正目標値を画像表示装置毎に算出する。
【００９４】
図１１に、図６のステップＳ４のむら補正目標値算出処理例のフロー図を示す。画像処
理装置１００ａが図１１の処理をソフトウェア処理で実現する場合には、画像処理装置１
００ａが内蔵するメモリーに下記の処理を実現するプログラムが格納され、該プログラム
を読み込んだＣＰＵが該プログラムに対応した処理を実行する。
【００９５】
むら補正目標値算出部１５２は、光源輝度算出部１６４において算出された調光率を各
画像表示装置に適用した上で、黒から白の各階調について、第１の画像表示装置ＰＪ１の
画像の輝度と、第２の画像表示装置ＰＪ２の画像の輝度とを合算する（ステップＳ４１）
。
【００９６】
次に、むら補正目標値算出部１５２は、スタック状態でのむら補正目標値を算出する（
ステップＳ４２）。ここで、白のむら補正は、明るさを低下させる方向に補正せざるを得
ないため、画像内の輝度分布（強度分布）中の最低輝度を基準に補正を行う。一方、黒の
むら補正は、明るさを増大させる方向に補正せざるを得ないため、画像内の輝度分布中の
最高輝度を基準に補正を行う。また、中間調については、むら補正目標値算出部１５２は
、例えば次のように補正する。
【００９７】
図１２に、むら補正目標値算出部１５２の動作説明図を示す。図１２は、横軸に階調、
縦軸に輝度を表す。
【００９８】
例えばスタック状態での白、中間調、黒の画面中央の補正前の輝度がそれぞれＹｗ、Ｙ
、Ｙｋであり、スタック状態での白と黒のむら補正目標値Ｙｗｔ、Ｙｋｔであるものとす
ると、スタック状態での中間調のむら補正目標値Ｙｔは、次の式から求められる。
（Ｙｗ−Ｙ）：（Ｙ−Ｙｋ）＝（Ｙｗｔ−Ｙｔ）：（Ｙｔ−Ｙｋｔ）    ・・・（６）
【００９９】
式（６）に従ってむら補正目標値を定めることで、黒から白の全階調において、むら補
正を行うことができるようになる。
【０１００】
続いて、むら補正目標値算出部１５２は、ステップＳ４２において算出されたスタック
状態でのむら補正目標値から各画像表示装置に対応するむら補正目標値を算出し（ステッ
プＳ４３）、一連の処理を終了する（エンド）。
【０１０１】
むら補正目標値算出部１５２は、各画像表示装置の調光後の画像を測定することにより
得られるむら測定値の比に応じて、スタック画像のむらの補正量を各画像表示装置に対応
する調光前のむら補正目標値Ｙ１ｔａｒｇｅｔ（ｘ）、Ｙ２ｔａｒｇｅｔ（ｘ）を算出す
る。調光後のスタック画像に対するむら補正目標値をγＹｔａｒｇｅｔ、第１の画像表示
装置ＰＪ１の調光前のむら補正目標値をＹ１ｔａｒｇｅｔ、第２の画像表示装置ＰＪ２の
調光前のむら補正目標値をＹ２ｔａｒｇｅｔとすると、次式が成り立つ。
αＹ１ｔａｒｇｅｔ（ｘ，ｙ）＝αＹ１（ｘ，ｙ）／（αＹ１（ｘ，ｙ）＋βＹ２（ｘ
，ｙ））×γＹｔａｒｇｅｔ（ｘ，ｙ）  ・・・（７）
βＹ２ｔａｒｇｅｔ（ｘ，ｙ）＝βＹ２（ｘ，ｙ）／（αＹ１（ｘ，ｙ）＋βＹ２（ｘ
，ｙ））×γＹｔａｒｇｅｔ（ｘ，ｙ）  ・・・（８）
【０１０２】
これにより、各画像表示装置の調光後の画像のむら測定値の比に応じて、スタック画像
のむら補正量を各画像表示装置において形成される画像のむら補正量を分配することがで
きる。その結果、各画像形成部に対するむら補正量のバランスをとることができ、一方の
画像表示装置に対するむら補正量が大きくなりすぎて、むら補正が正しく行うことができ
ないという事態を回避できるようになる。
〔むら補正ＬＵＴ生成処理〕
図６のステップＳ４において上記のようにむら補正目標値が算出されると、むら補正Ｌ
ＵＴ生成部１５４は、画像表示装置毎の強度分布とむら補正目標値から、画像表示装置毎
にむら補正ＬＵＴを生成する。
【０１０３】
まず、むら補正ＬＵＴ生成部１５４は、予め決められた画面内の画素位置及び階調に対
応したＬＵＴ格子点の中から１つの画素位置における階調を設定する。そして、むら補正
ＬＵＴ生成部１５４は、該画素位置における階調に対応したＶＴ特性を探索して、むら補
正ＬＵＴとして設定されるむら補正値を決定する処理を行う。むら補正ＬＵＴ生成部１５
４は、ＬＵＴ格子点の全画素位置及び全階調についてむら補正値を決定する。むら補正Ｌ
ＵＴ生成部１５４によって決定されたむら補正値は、テーブル化されむら補正ＬＵＴとし
て生成される。
【０１０４】
以下では、三刺激値を用いてむら補正値を求める例について、簡単に説明する。
【０１０５】
図１３（Ａ）、図１３（Ｂ）、図１３（Ｃ）に、むら補正前とむら補正後の画素位置（
ｉ，ｊ）における第１の画像表示装置ＰＪ１による投射画像を測定することにより得られ
る三刺激値の一例を示す。図１３（Ａ）は、刺激値Ｘの測定結果を表す。図１３（Ｂ）は
、刺激値Ｙの測定結果を表す。図１３（Ｃ）は、刺激値Ｚの測定結果を表す。図１３（Ａ
）〜図１３（Ｃ）において、横軸に階調値、縦軸に刺激値Ｘ、Ｙ、Ｚのいずれかを表す。
【０１０６】
以下では、むら補正前の三刺激値を（Ｘ１，Ｙ１，Ｚ１）、むら補正目標値に対応する
三刺激値を（Ｘ１ｔ，Ｙ１ｔ，Ｚ１ｔ）とする。図１３（Ａ）において、むら補正前の刺
激値ＸをプロットしたものがＦＸ１（Ｋｉｊ）であり、むら補正目標値Ｘ１ｔをプロット
したものがＦＸ１ｔ（Ｋｉｊ）である。図１３（Ｂ）において、むら補正前の刺激値Ｙを
プロットしたものがＦＹ１（Ｋｉｊ）であり、むら補正目標値Ｙ１ｔをプロットしたもの
がＦＹ１ｔ（Ｋｉｊ）である。図１３（Ｃ）において、むら補正前の刺激値Ｚをプロット
したものがＦＺ１（Ｋｉｊ）であり、むら補正目標値Ｚ１ｔをプロットしたものがＦＺ１
ｔ（Ｋｉｊ）である。図１３（Ａ）〜図１３（Ｃ）に示す特性曲線に従って、むら補正Ｌ
ＵＴ生成部１５４は、所望のむら補正目標値を得るための入力値を求め、該入力値を得る
ための補正量に対応したむら補正値を求めることになる。
【０１０７】
図１３（Ａ）〜図１３（Ｃ）に示す特性曲線が得られると、むら補正ＬＵＴ生成部１５
４は、公知のＸＹＺ／ＲＧＢ変換行列Ｍ−１を用いて、図１３（Ａ）〜図１３（Ｃ）にお
ける三刺激値ＸＹＺをＲＧＢ値に変換する。
【０１０８】
図１４（Ａ）、図１４（Ｂ）、図１４（Ｃ）に、変換後の画素位置（ｉ，ｊ）における
むら補正前後のＲＧＢ値の一例を示す。図１４（Ａ）〜図１４（Ｃ）において、補正前の
ＲＧＢ値を（Ｒ１，Ｇ１，Ｂ１）、補正後のＲＧＢ値を（Ｒ１ｔ，Ｇ１ｔ，Ｂ１ｔ）と表
す。図１４（Ａ）は、Ｒ値の変換結果を表す。図１４（Ｂ）は、Ｇ値の変換結果を表す。
図１４（Ｃ）は、Ｂ値の変換結果を表す。図１４（Ａ）〜図１４（Ｃ）において、横軸に
階調値、縦軸にＲＧＢ値のいずれかを表す。
【０１０９】
図１４（Ａ）において、むら補正前のＲ１の変換結果をプロットしたものがＦＲ１（Ｋ
ｉｊ）であり、補正後のＲ１ｔの変換結果をプロットしたものがＦＲ１ｔ（Ｋｉｊ）であ
る。図１４（Ｂ）において、むら補正前のＧ１の変換結果をプロットしたものがＦＧ１（
Ｋｉｊ）であり、補正後のＧ１ｔの変換結果をプロットしたものがＦＧ１ｔ（Ｋｉｊ）で
ある。図１４（Ｃ）において、むら補正前のＢ１の変換結果をプロットしたものがＦＢ１
（Ｋｉｊ）であり、補正後のＢ１ｔの変換結果をプロットしたものがＦＢ１ｔ（Ｋｉｊ）
である。
【０１１０】
次に、むら補正ＬＵＴ生成部１５４は、図１４（Ａ）〜図１４（Ｃ）に示す特性曲線を
探索することで、次式のように所望のむら補正目標値（Ｒｔ，Ｇｔ，Ｂｔ）を実現するた
めの補正後の画素値（Ｒｉｊ´，Ｇｉｊ´，Ｂｉｊ´）を求める。
ＦＲ１ｔ（Ｒｉｊ）＝ＦＲ１（Ｒｉｊ´）      ・・・（９）
ＦＧ１ｔ（Ｇｉｊ）＝ＦＧ１（Ｇｉｊ´）      ・・・（１０）
ＦＢ１ｔ（Ｂｉｊ）＝ＦＢ１（Ｂｉｊ´）      ・・・（１１）
【０１１１】
むら補正ＬＵＴ生成部１５４は、式（９）〜式（１１）により求められた画素値（Ｒｉ
ｊ´，Ｇｉｊ´，Ｂｉｊ´）を用いて、補正量（ΔＫＲｉｊ，ΔＫＧｉｊ，ΔＫＢｉｊ）
を式（１）〜式（３）より算出する。
【０１１２】
むら補正ＬＵＴ生成部１５４は、以上のような処理を、画像内の各画素位置において、
階調毎に行う。この結果、むら補正ＬＵＴ生成部１５４は、画素位置（ｉ，ｊ）における
階調値Ｋｉｊの補正量（ΔＫＲｉｊ，ΔＫＧｉｊ，ΔＫＢｉｊ）に対応するむら補正値が
テーブル化されたむら補正ＬＵＴを生成することができる。
【０１１３】
以上のような処理を行うむら補正ＬＵＴ生成部１５４は、画像内のすべての画素位置、
すべての階調値における補正量をテーブルとして用意することが理想である。しかしなが
ら、むら補正ＬＵＴ記憶部１１０の記憶容量の削減を目的として、特定の画素位置、階調
値における補正量に対応したむら補正値をテーブル化したむら補正ＬＵＴを用意し、公知
の補間処理により適宜補うようにしてもよい。
【０１１４】
図１５（Ａ）〜図１５（Ｇ）に、実施形態１においてむら補正後、調光後、及びスタッ
ク後の画像の輝度変化の一例を示す。図１５（Ａ）〜図１５（Ｇ）は、画面の水平方向の
輝度変化を模式的に階段状に表す。図１５（Ａ）〜図１５（Ｇ）において、横軸に画面の
画素位置、縦軸に輝度を表す。
【０１１５】
図１５（Ａ）は、図１０（Ａ）に示す第１の画像表示装置ＰＪ１による画像の輝度変化
、図１５（Ｂ）は、図１０（Ｂ）に示す第２の画像表示装置ＰＪ２による画像の輝度変化
を表す。図１５（Ｃ）は、上記のように算出されたむら補正値を用いた図１５（Ａ）の画
像に対するむら補正後の画像の輝度変化を表す。図１５（Ｄ）は、上記のように算出され
たむら補正値を用いた図１５（Ｂ）の画像に対するむら補正後の画像の輝度変化を表す。
図１５（Ｅ）は、図１５（Ｃ）の画像に対して調光率α＝０．７５で調光した後の画像の
輝度変化を表す。図１５（Ｆ）は、図１５（Ｄ）の画像に対して調光率β＝０．２５で調
光した後の画像の輝度変化を表す。図１５（Ｇ）は、図１５（Ｅ）及び図１５（Ｆ）の画
像をスタックさせたスタック画像の輝度変化を表す。
【０１１６】
図１５（Ｃ）、図１５（Ｄ）では、調光後のスタック画像の輝度を基準に、各画像表示
装置による画像の輝度のむら補正が行われている様子を示している。即ち、第１の画像表
示装置ＰＪ１による画像の輝度が１００の画素位置（左端の画素位置）では、調光後のス
タック画像の輝度が１０５であり（図１０（Ｅ）を参照）、スタック画像の面内の輝度の
最小値が７０であるため、輝度が６６．７（＝１００×７０／１０５）となるようにむら
補正が行われる。同様に、第１の画像表示装置ＰＪ１による画像の輝度が１２０の画素位
置（右端から２番目の画素位置）では、調光後のスタック画像の輝度が１００であり（図
１０（Ｅ）を参照）、スタック画像の面内の輝度の最小値が７０であるため、輝度が８４
（＝１２０×７０／１００）となるようにむら補正が行われる。また同様に、第２の画像
表示装置ＰＪ２による画像の輝度が１００の画素位置では、調光後のスタック画像の輝度
が７０であり（図１０（Ｅ）を参照）、スタック画像の面内の輝度の最小値が７０である
ため、輝度が１００（＝１００×７０／７０）となるようにむら補正が行われる。
【０１１７】
図１５（Ｅ）では、画素位置毎に、図１５（Ｃ）の輝度が７５％に減光され、図１５（
Ｆ）では、画素位置毎に、図１５（Ｄ）の輝度が２５％に減光される。そして、図１５（
Ｇ）では、画素位置毎に図１５（Ｅ）と図１５（Ｆ）の輝度が合算された画像となり、ス
タック画像の輝度の最小値である７０に合わせてむら補正が行われることになる。
【０１１８】
以上説明したように、実施形態１によれば、むら補正を行う際に、指定調光率に応じて
各画像表示装置の調光率を異ならせることができるので、むら補正及び調光後の輝度の最
小値を大きくすることができ、光利用効率を向上させることができるようになる。
【０１１９】
図１６に、実施形態１の効果の説明図を示す。なお、図１６では、説明の簡略化のため
、消費電力や画像の明るさが単純に光源光量に比例するものと仮定している。
【０１２０】
例えば１台の画像表示装置のみで画像を表示する場合、指定調光率を５０％に指定する
と、光源の輝度が５０％に減光されて消費電力が５０％になるものの、画像の明るさ（輝
度）は５０％になる。同様に、２台の画像表示装置に対して指定調光率を５０％に指定す
ると、両方の画像表示装置の光源の輝度が５０％に減光されて消費電力が５０％になり、
スタック画像の明るさは５０％になる。一方、実施形態１の比較例の技術を用いて５０％
の減光を指定する場合、図８（Ａ）〜図８（Ｅ）に示す通り、消費電力が５０％になるも
のの、スタック画像の明るさは６０％になる。これに対して、実施形態１によれば、図１
０（Ａ）〜図１０（Ｅ）又は図１５（Ａ）〜図１５（Ｇ）に示す通り、消費電力が５０％
になり、且つ、スタック画像の明るさは７０％になる。
【０１２１】
このように、実施形態１によれば、光利用効率を向上させることができるようになる。
これにより、同じ消費電力でできるだけ明るく画像を表示することが可能となり、或いは
同じ明るさの画像をできるだけ低消費電力で表示することが可能となり、省電力効果を高
くすることができるようになる。
【０１２２】
３．  実施形態２
実施形態１では、それぞれが画像形成部を有する２台の画像表示装置に外付けの画像処
理装置を接続する構成を例に説明したが、本発明は実施形態１における画像表示システム
に限定されるものではない。例えば、筐体内に複数の画像形成部を有し、筐体内で各画像
形成部からの画像光を合成してスクリーンＳＣＲに投射する画像表示システムにも、本発
明を提供することができる。この場合、実施形態１の「画像表示装置」の語句を「画像形
成部」に置き換えて適用することで、同様の効果を得ることができる。
【０１２３】
図１７に、実施形態２における画像表示システムの構成例のブロック図を示す。図１７
において、図１と同一部分には同一符号を付し、適宜説明を省略する。なお、第１の画像
形成部及び第２の画像形成部の構成については、上面から見た構成を模式的に表す。
【０１２４】
画像表示装置ＰＪは、第１の画像形成部５００、第２の画像形成部６００、画像処理部
７００（画像処理装置）、偏光合成プリズム（Polarization Beam Splitter：ＰＢＳ）７
８０、投射レンズ７９０を含む。この画像表示装置ＰＪは、第１の画像形成部５００及び
第２の画像形成部６００により形成される２つの画像を重ね合わせて投射することにより
、スクリーンＳＣＲにスタック画像を表示することができるようになっている。
【０１２５】
第１の画像形成部５００の構成は、第２の画像形成部６００の構成と同様である。画像
処理部７００は、実施形態１における画像処理装置１００又は画像処理装置１００ａの機
能を有する。
【０１２６】
図１８に、図１７の第１の画像形成部５００の構成例を示す。図１８は、第１の画像形
成部５００を上面から見た構成を模式的に表す。
【０１２７】
第１の画像形成部５００は、光源部５１０、インテグレーターレンズ５１２、５１４、
偏光変換素子５１６、重畳レンズ５１８、第１の色光用ダイクロイックミラー５２０１、
第２の色光用ダイクロイックミラー５２０２、反射ミラー５２２、第１の色光用フィール
ドレンズ５２４１、第２の色光用フィールドレンズ５２４２、第１の色光用液晶パネル５
３０１、第２の色光用液晶パネル５３０２、第３の色光用液晶パネル５３０３、リレー光
学系５４０、クロスダイクロイックプリズム５６０（色合成プリズム）を含む。第１の色
光用液晶パネル５３０１、第２の色光用液晶パネル５３０２及び第３の色光用液晶パネル
５３０３として用いられる液晶パネルは、透過型の液晶表示装置である。リレー光学系５
４０は、リレーレンズ５４２、５４４、５４６、反射ミラー５４８、５５０を含む。
【０１２８】
光源部５１０は、例えば超高圧水銀ランプにより構成され、少なくとも第１の色光（Ｃ
１）、第２の色光（Ｃ２）、第３の色光（Ｃ３）を含む光を射出する。光源部５１０は、
画像処理部７００からの光源制御信号により光量が制御されるようになっている。インテ
グレーターレンズ５１２は、光源部５１０からの光を複数の部分光に分割するための複数
の小レンズを有する。インテグレーターレンズ５１４は、インテグレーターレンズ５１２
の複数の小レンズに対応する複数の小レンズを有する。重畳レンズ５１８は、インテグレ
ーターレンズ５１２の複数の小レンズから射出される部分光を液晶パネル上で重畳する。
偏光変換素子５１６は、偏光ビームスプリッターアレイとλ／２板とを有し、光源部５１
０からの光を略一種類の偏光光に変換する。偏光ビームスプリッターアレイは、インテグ
レーターレンズ５１２により分割された部分光をｐ偏光とｓ偏光に分離する偏光分離膜と
、偏光分離膜からの光の向きを変える反射膜とを、交互に配列した構造を有する。偏光分
離膜で分離された２種類の偏光光は、λ／２板によって偏光方向が揃えられる。この偏光
変換素子５１６によって略一種類の偏光光に変換された光が、重畳レンズ５１８に照射さ
れる。
【０１２９】
重畳レンズ５１８からの光は、第１の色光用ダイクロイックミラー５２０１に入射され
る。第１の色光用ダイクロイックミラー５２０１は、第１の色光を反射して、第２の色光
及び第３の色光を透過させる機能を有する。第１の色光用ダイクロイックミラー５２０１
を透過した光は、第２の色光用ダイクロイックミラー５２０２に照射され、第１の色光用
ダイクロイックミラー５２０１により反射した光は反射ミラー５２２により反射されて第
１の色光用フィールドレンズ５２４１に導かれる。
【０１３０】
第２の色光用ダイクロイックミラー５２０２は、第２の色光を反射して、第３の色光を
透過させる機能を有する。第２の色光用ダイクロイックミラー５２０２を透過した光は、
リレー光学系５４０に入射され、第２の色光用ダイクロイックミラー５２０２により反射
した光は第２の色光用フィールドレンズ５２４２に導かれる。
【０１３１】
リレー光学系５４０では、第２の色光用ダイクロイックミラー５２０２を透過した第３
の色光の光路長と他の第１の色光及び第２の色光の光路長との違いをできるだけ小さくす
るために、リレーレンズ５４２、５４４、５４６を用いて光路長の違いを補正する。リレ
ーレンズ５４２を透過した光は、反射ミラー５４８によりリレーレンズ５４４に導かれる
。リレーレンズ５４４を透過した光は、反射ミラー５５０によりリレーレンズ５４６に導
かれる。リレーレンズ５４６を透過した光は、第３の色光用液晶パネル５３０３に照射さ
れる。
【０１３２】
第１の色光用フィールドレンズ５２４１に照射された光は、平行光に変換されて第１の
色光用液晶パネル５３０１に入射される。第１の色光用液晶パネル５３０１は、光変調部
（光変調素子）として機能し、画像処理部７００からの画像信号を構成する第１の色光用
画像信号に基づいて透過率（通過率、変調率）が変化するようになっている。従って、第
１の色光用液晶パネル５３０１に入射された光は、第１の色光用画像信号に基づいて変調
され、変調後の光がクロスダイクロイックプリズム５６０に入射される。第２の色光用フ
ィールドレンズ５２４２に照射された光は、平行光に変換されて第２の色光用液晶パネル
５３０２に入射される。第２の色光用液晶パネル５３０２は、光変調部として機能し、画
像処理部７００からの画像信号を構成する第２の色光用画像信号に基づいて透過率が変化
するようになっている。従って、第２の色光用液晶パネル５３０２に入射された光は、第
２の色光用画像信号に基づいて変調され、変調後の光がクロスダイクロイックプリズム５
６０に入射される。リレーレンズ５４２、５４４、５４６で平行光に変換された光が照射
される第３の色光用液晶パネル５３０３は、光変調部として機能し、画像処理部７００か
らの画像信号を構成する第３の色光用画像信号に基づいて透過率が変化するようになって
いる。従って、第３の色光用液晶パネル５３０３に入射された光は、第３の色光用画像信
号に基づいて変調され、変調後の光がクロスダイクロイックプリズム５６０に入射される
。
【０１３３】
第１の色光用液晶パネル５３０１、第２の色光用液晶パネル５３０２、第３の色光用液
晶パネル５３０３は、それぞれ同様の構成を有している。各液晶パネルは、電気光学物質
である液晶を一対の透明なガラス基板に密閉封入したものであり、例えばポリシリコン薄
膜トランジスターをスイッチング素子として、画像信号に対応して各色光の通過率を変調
する。
【０１３４】
クロスダイクロイックプリズム５６０は、第１の色光用液晶パネル５３０１、第２の色
光用液晶パネル５３０２及び第３の色光用液晶パネル５３０３からの入射光を合成した合
成光を出射光として出力する機能を有する。
【０１３５】
このように、第１の画像形成部５００のクロスダイクロイックプリズム５６０によって
、変調後の各色光が合成されて、画像光が生成される。
【０１３６】
一方、第２の画像形成部６００は、図１８に示す第１の画像形成部５００と同様の構成
を有しており、第２の画像形成部６００のクロスダイクロイックプリズムによって、変調
後の各色光が合成されて画像光が生成される。
【０１３７】
このような構成において、第１の画像形成部５００の光学系と第２の画像形成部６００
の光学系とが反転している。そのため、第１の画像形成部５００に供給される画像信号に
より表される画像の画素の並びと水平方向に反対方向の画素の並びの画像信号を、第２の
画像形成部６００に対して供給することで、第１の画像形成部５００により形成される画
像の向きと第２の画像形成部６００により形成される画像の向きとを揃えることができる
。従って、画像処理部７００は、互いに画素が画像の水平方向に反対方向に並ぶ画像信号
を、第１の画像形成部５００及び第２の画像形成部６００の各々に対して出力することが
できるようになっている。
【０１３８】
偏光合成プリズム（合成部）７８０は、第１の画像形成部５００からの画像光と、第２
の画像形成部６００からの画像光とを合成して、合成光を投射レンズ７９０に照射する。
投射レンズ７９０は、偏光合成プリズム７８０からの合成光を拡大投射して、スクリーン
ＳＣＲに画像を表示する。
【０１３９】
従って、１つの筐体内に収容される第１の画像形成部５００及び第２の画像形成部６０
０の各々によって形成された画像を重ねてスクリーンＳＣＲに投射することで、スタック
画像が表示される。このとき、画像処理部７００において、実施形態１で説明したむら補
正及び調光制御を行うことで、実施形態１と同様の効果を得ることができる。
【０１４０】
なお、実施形態１における第１の画像表示装置ＰＪ１及び第２の画像表示装置ＰＪ２の
各々は、図１８に示す構成の画像形成部を含み、該画像形成部によって形成された画像に
対応した画像光を投射レンズにより拡大投射して、スクリーンＳＣＲに画像を表示するこ
とができる。
【０１４１】
以上、本発明に係る画像処理装置、画像表示システム及び画像処理方法等を上記のいず
れかの実施形態形に基づいて説明したが、本発明は上記のいずれかの実施形態に限定され
るものではなく、その要旨を逸脱しない範囲において種々の態様において実施することが
可能であり、例えば次のような変形も可能である。
【０１４２】
（１）上記の実施形態において、ＸＹＺ三刺激値又はＲＧＢの三原色のうち少なくとも
１軸について行うことができる。また、３軸とも同様に行ってその中から最小のものに対
して行ってもよい。
【０１４３】
（２）上記の実施形態では、スタック画像のむら補正量を各画像の色特性値の比で分配
する例について説明したが、本発明はこれに限定されるものではない。
【０１４４】
（３）上記の実施形態において、通常は白表示時の強度分布によって光源光量を定める
。例えば図１０（Ａ）、図１０（Ｂ）の輝度の１／１０００の値が黒の特性であり、白の
特性によって既に調光率α＝０．７５、β＝０．２５と決定していたものとすると、むら
補正目標値算出部１５２は、図１０（Ｅ）の状態で黒のむら補正目標値を１０５／１００
０とすることができる。しかし、白を用いない画像の表示を行う場合は、用いる階調のう
ち最も大きな階調（例えば１９２）の表示時の強度分布によって光源光量を定めてもよい
。
【０１４５】
（４）上記の実施形態では、２つの画像形成部により形成される画像をスタックする例
について説明したが、３以上の画像形成部により形成される画像をスタックする場合も同
様である。この場合には、各画像形成部の光源輝度の組み合わせが膨大になるので、調光
率変化ステップを大きくしたり、各画像表示装置の調光率の最小値に制限を設けたりする
ことが望ましい。
【０１４６】
（５）上記の実施形態では、調光する際に減光を例に説明したが、本発明はこれに限定
されるものではない。例えば、増光によって明るさを向上したい場合でも、同様の処理で
実現でき、指定調光率γをγ≧１とすればよい。
【０１４７】
（６）上記の実施形態では、画像表示装置を例に説明したが、本発明はこれに限定され
るものではない。画像信号に基づいて画像を重ねて表示する装置全般に本発明を適用する
ことができることは言うまでもない。
【０１４８】
（７）上記の実施形態では、画像形成部が、いわゆる３板式の透過型の液晶パネルを用
いたライトバルブにより構成される例を説明したが、単板式の液晶パネルや２板又は４板
式以上の透過型の液晶パネルを用いたライトバルブを採用することができる。また、光変
調素子として透過型の液晶パネルを用いたライトバルブを用いるものとして説明したが、
本発明はこれに限定されるものではない。光変調素子として、例えばＤＬＰ（Digital Li
ght Processing)（登録商標）、ＬＣＯＳ（Liquid Crystal On Silicon）等を採用しても
よい。
【０１４９】
（８）上記の実施形態において、本発明を、画像処理装置、画像表示システム及び画像
処理方法等として説明したが、本発明はこれに限定されるものではない。例えば、本発明
に係る画像処理方法やむら補正値生成方法の処理手順が記述されたプログラム、本発明を
実現するための画像表示装置の処理方法（画像表示方法）の処理手順が記述されたプログ
ラム、これらのいずれかのプログラムが記録された記録媒体であってもよい。
【符号の説明】
【０１５０】
１０…画像表示システム、  １００，１００ａ…画像処理装置、
１１０…むら補正ＬＵＴ記憶部、  １２０…むら補正処理部、  １３０…調光率記憶部、
１４０…調光制御部、  １５０…むら補正値算出部、  １５２…むら補正目標値算出部、
１５４…むら補正ＬＵＴ生成部、  １６０…調光率算出部、
１６２…指定調光率生成部、  １６４…光源輝度算出部、  ２００…画像信号供給装置、
２１０…操作部、  ３００…むら測定装置、  ４００…センサー、
５００…第１の画像形成部、  ６００…第２の画像形成部、  ７００…画像処理部、
７８０…ＰＢＳ、  ７９０…投射レンズ、  ＰＪ…画像表示装置、
ＰＪ１…第１の画像表示装置、  ＰＪ２…第２の画像表示装置、  ＳＣＲ…スクリーン
【図１】
2011150111.tif 000003
【図２】
2011150111.tif 000004
【図３】
2011150111.tif 000005
【図４】
2011150111.tif 000006
【図５】
2011150111.tif 000007
【図６】
2011150111.tif 000008
【図７】
2011150111.tif 000009
【図８】
2011150111.tif 000010
【図９】
2011150111.tif 000011
【図１０】
2011150111.tif 000012
【図１１】
2011150111.tif 000013
【図１２】
2011150111.tif 000014
【図１３】
2011150111.tif 000015
【図１４】
2011150111.tif 000016
【図１５】
2011150111.tif 000017
【図１６】
2011150111.tif 000018
【図１７】
2011150111.tif 000019
【図１８】
2011150111.tif 000020
【図１９】
2011150111.tif 000021
【図２０】
2011150111.tif 000022
【図２１】
2011150111.tif 000023